(57)【要約】【課題】画像と音声を記録・再生可能なカメラに対して、個人的な内容のように公開したくなく情報と公開したい内容の情報を分類して記録、再生できるようにして、公開したくない情報を保護しながら、多くの人達と再生を楽しむことのできる電子カメラを提供することである。【解決手段】画像再生用のＬＣＤパネル１７と撮影素子１２を有する電子カメラに於いて、上記撮影素子１２による撮影時に、マイクロホン３３によってプライベート情報が録音される。そして、上記プライベート情報に従って、上記ＬＣＤパネル上への画像再生が、ＣＰＵ２０の指令により禁止される。【選択図】    図１
2004179760.tif 000002
【特許請求の範囲】
【請求項１】
撮像手段と、
画像再生モニタと、
撮像時にプライベート情報を付加する情報入力手段と、
上記プライベート情報に従って上記画像再生モニタ上への画像再生を禁止する禁止手段と、
を具備することを特徴とする電子カメラ。
【請求項２】
上記画像再生の禁止は、記録された画像データとは異なる所定の情報を表示することを特徴とする請求項１に記載の電子カメラ。
【請求項３】
上記画像再生の禁止は、記録された画像データを異なる画像に変換して表示することを特徴とする請求項１に記載の電子カメラ。
【請求項４】
撮像手段と、
第１の画像記録領域と、この第１の画像記録領域とは異なる第２の画像記録領域とを有し、上記第１の画像記録領域に記録された画像を優先的に表示する表示手段と、
撮影時にプライベート撮影判断を行う判断手段と、
上記プライベート撮影判断に従って、上記第２の画像記録領域に情報記録する記録制御手段と、
を具備することを特徴とする電子カメラ。
【請求項５】
画像と音声とを記録・再生することが可能な電子カメラであって、
記録時にプライベート情報を付加し、このプライベート情報に従って、再生時に画像のみを再生するモード、若しくは画像並びに音声を再生するモードの何れかを選択する選択手段と、
を具備することを特徴とする電子カメラ。
【請求項６】
上記選択手段は、プライベートモード時には画像のみを再生するモードが優先され、所定の操作を行ったときに限り、上記画像並びに音声を再生するモードが選択されることを特徴とする請求項５に記載の電子カメラ。
【請求項７】
第１、第２の電子モニタを、それぞれファインダ部、カメラ背面に備えた電子カメラであって、
撮影時にプライベート情報を付加する情報入力手段と、
上記プライベート情報に従って、上記第１の電子モニタ若しくは第２の電子モニタへの再生を決定する決定手段と、
を具備することを特徴とする電子カメラ。
【請求項８】
画像と音声を記録・再生することが可能な電子カメラであって、
記録時にプライベート情報を付加し、このプライベート情報に従って、再生時の画像再生形態を変更し、音声再生時の音量を下げさせるようにしたことを特徴とする電子カメラ。
【請求項９】
画像と音声とを記録・再生することが可能な電子カメラであって、
記録時に、特定の情報を付加する入力手段と、
再生時に、上記特定の情報と所定の情報入力とに応じて複数の再生モードから１つを選択する選択手段と、
を具備することを特徴とする電子カメラ。
【請求項１０】
上記複数の再生モードは、音声の再生を禁止する若しくは再生音量を下げるモードを含むことを特徴とする請求項９に記載の電子カメラ。
【請求項１１】
上記複数の再生モードは、記録画像の代わりに所定の情報を表示するモードを含むことを特徴とする請求項９に記載の電子カメラ。
【請求項１２】
上記再生時の所定の情報入力は、記録時の特定の情報と同一であることを特徴とする請求項９に記載の電子カメラ。
【発明の詳細な説明】
【０００１】
【発明の属する技術分野】
この発明はカメラ及び電子カメラに関するもので、より詳細には、ユーザのプライベートな情報を考慮した電子カメラに関するものである。
【０００２】
【従来の技術】
近年のデジタルカメラ（電子カメラ）の一般ユーザの利用方法の１つとして、撮影された画像を多くの人に手渡して画像を回覧することがある。これは、すなわち、電子カメラに於いては、撮影された画像が同じカメラ上のモニタで確認することが可能であるからである。
【０００３】
しかしながら、このようなシチュエーションで、同じカメラの中に、回覧したい画像以外の画像が含まれることがあり、回覧中の操作で、回覧したい画像以外の画像が見られてしまうということがあった。
【０００４】
また、近年、音声入力可能なカメラも市販化されている。ところが、画像情報ならばモニタ画面を見ている人にしか見えないものの、音声が一緒に再生されると、電車内の携帯電話機の着信音と同様に、不特定多数の人に迷惑をかけると同時に、プライベートな内容が暴露されて恥ずかしい思いをすることになる。
【０００５】
このように、同じカメラ内に公開したくなる内容と個人的な内容が併存することがあり、個人的な内容（プライベート情報）はむやみに再生されると不都合が生じることを防止した方がよい。
【０００６】
このように、カメラの利用時にプライベートな事情を考慮した技術としては、次のようなものが知られている。
【０００７】
スケジュールや住所録等の個人情報と画像をリンクさせて、検索を容易にする（例えば、特許文献１参照）。
【０００８】
テーマパーク等に設置する、多数の人が使用するカメラにリモコンによって、ＩＤ情報を付加し、画像管理、簡略化する（例えば、特許文献２参照）。
【０００９】
デジタルカメラ共用時の機密対策として、編集の禁止や暗号化して記録する（例えば、特許文献３参照）。
【００１０】
子供の悪戯による故障対策（チャイルドロック）（例えば、特許文献４参照）。
【００１１】
【特許文献１】
特開平９−３３０３２５号公報［００３８］〜［００４０］、［００５０］〜［００６６］、図５、図８〜図１１等参照
【００１２】
【特許文献２】
特開２０００−２３０１５号公報［００１１］〜［００３３］、図１等参照
【００１３】
【特許文献３】
特開２００１−３２０６６８号公報［０００９］〜［００１１］、図２、図３等参照
【００１４】
【特許文献４】
特開２００２−７７７００号公報［００１８］〜［００２３］、図１等参照
【００１５】
【発明が解決しようとする課題】
しかしながら、上述した特許文献１及び特許文献２は、画像の検索管理を目的とするものであり、特許文献３はカメラ上での再生というよりも機密情報の暗号化の技術に関し、更に特許文献４はカメラ誤操作時の故障対策に関するものであった。これらはパーソナルコンピュータに於けるパスワード入力のように、特にガードする方法に重点をおいており、多くの人が鑑賞して楽しむという側面に関しては考慮されていないものであった。
【００１６】
この発明は上記実状に鑑みてなされたものであり、画像や音声の記録・再生が可能な電子カメラに於いて、例えば個人的内容のように不特定多数には公開を望まない情報と、公開しても良い情報とを区別して記録を行い、再生時には所定の操作を行わないと公開を望まない情報が再生されないようにした電子カメラを提供することを目的とする。
【００１７】
【課題を解決するための手段】
すなわち、第１の発明は、撮像手段と、画像再生モニタと、撮像時にプライベート情報を付加する情報入力手段と、上記プライベート情報に従って上記画像再生モニタ上への画像再生を禁止する禁止手段と、を具備することを特徴とする。
【００１８】
また、第２の発明は、撮像手段と、第１の画像記録領域と、この第１の画像記録領域とは異なる第２の画像記録領域とを有し、上記第１の画像記録領域に記録された画像を優先的に表示する表示手段と、撮影時にプライベート撮影判断を行う判断手段と、上記プライベート撮影判断に従って、上記第２の画像記録領域に情報記録する記録制御手段と、を具備することを特徴とする。
【００１９】
第３の発明は、画像と音声とを記録・再生することが可能な電子カメラであって、記録時にプライベート情報を付加し、このプライベート情報に従って、再生時に画像のみを再生するモード、若しくは画像並びに音声を再生するモードの何れかを選択する選択手段と、を具備することを特徴とする。
【００２０】
第４の発明は、第１、第２の電子モニタを、それぞれファインダ部、カメラ背面に備えた電子カメラであって、撮影時にプライベート情報を付加する情報入力手段と、上記プライベート情報に従って、上記第１の電子モニタ若しくは第２の電子モニタへの再生を決定する決定手段と、を具備することを特徴とする。
【００２１】
更に、第５の発明は、画像と音声を記録・再生することが可能な電子カメラであって、記録時にプライベート情報を付加し、このプライベート情報に従って、再生時の画像再生形態を変更し、音声再生時の音量を下げさせるようにしたことを特徴とする。
【００２２】
そして、第６の発明は、画像と音声とを記録・再生することが可能な電子カメラであって、記録時に、特定の情報を付加する入力手段と、再生時に、上記特定の情報と所定の情報入力とに応じて複数の再生モードから１つを選択する選択手段と、を具備することを特徴とする。
【００２３】
第１の発明にあっては、撮像手段と、画像再生モニタとを有する電子カメラにあって、上記撮像手段による撮像時に情報入力手段によってプライベート情報が付加される。そして、上記プライベート情報に従って、上記画像再生モニタ上への画像再生が禁止手段により禁止される。
【００２４】
また、第２の発明による電子カメラにあっては、撮像手段と、第１の画像記録領域と、この第１の画像記録領域とは異なる第２の画像記録領域とを有し、上記第１の画像記録領域に記録された画像を優先的に表示する表示手段とを備えている。更に、上記撮像手段による撮影時には、判断手段によってプライベート撮影の判断が行われる。そして、上記プライベート撮影判断に従って、記録制御手段で上記第２の画像記録領域に情報が記録される。
【００２５】
第３の発明にあっては、画像と音声を記録・再生することが可能な電子カメラであって、上記記録時にプライベート情報が付加され、該プライベート情報に従って、選択手段によって、上記再生時に画像のみ再生モードか、若しくは画像及び音声再生モードの何れかが選択される。
【００２６】
第４の発明にあっては、第１、第２の電子モニタが、それぞれファインダ部、カメラ背面に備えられた電子カメラであって、撮影時に情報入力手段によってプライベート情報が付加される。そして、上記プライベート情報に従って、上記第１若しくは第２の電子モニタへの再生が、決定手段によって決定される。
【００２７】
更に、第５の発明にあっては、画像と音声を記録・再生することが可能な電子カメラであって、記録時にプライベート情報が付加され、再生時には画像再生形態が変更されて、上記プライベート情報に従って上記音声再生時の音量が下げられる。
【００２８】
そして、第６の発明にあっては、画像と音声とを記録・再生することが可能な電子カメラであって、記録時に入力手段によって特定の情報が付加され、再生時に選択手段によって上記特定の情報と所定の情報入力とに応じて複数の再生モードから１つが選択される。
【００２９】
【発明の実施の形態】
以下、添付図面を参照して、この発明の一実施の形態について説明する。
【００３０】
初めに、この発明の特徴であるプライベート画像、音声の保護について説明する。
【００３１】
デジタルカメラの普及によって、画像をパーソナルコンピュータ等に取り込むことが簡易化されている。そして、例えば出張先等にデジタルカメラを持って行ってレポートの報告時の添付画像を撮影する機会や、図２（ａ）に示されるような、定時後の懇親会等でこれを利用して、親睦を深める機会も増えている。
【００３２】
こうした状況では、撮影した画像をその場で見ることができるデジタルカメラの特徴を生かして、撮影に使ったカメラを回覧して、撮影画像を多数のメンバーで楽しむ場合が多い。
【００３３】
しかしながら、仕事以外の映像がメモリに記録されていると、そのプライベートな画像まで不特定多数の人に見られてしまう可能性が高かった。例えば、図２（ｂ）に示されるように、どの駒にどのような映像が記録されているかが一覧できる、いわゆるインデックス表示にした場合等には、プライベートな写真までが一緒に見えてしまう。
【００３４】
そこで、この発明は、図２（ｃ）に示されるように、プライベートな画像の部分は、例えば「ｐｒｉｖａｔｅ」と文字表示にして、画像の内容は見えないようにして保護している。このプライベートな画像を見ようとすると、例えば、図２（ｄ）に示されるように所定の画素を拡大して視認可能としてもよい。或いはプライベート画像を見ようとしても、全く何も再生できないようにしてもよい。更には、インデックス表示時に、完全にプライベート画像は表示しないようにしてもよい。
【００３５】
また、近年、画像のみならず音声も録音できるタイプのカメラが普及しているが、音声は画像とは異なり、カメラの方を見ていない人にも聴こえてしまうので、これに関しても注意をして、プライベートな音声は再生不能、または音量を下げる等の工夫をしている。
【００３６】
図１は、この発明の一実施の形態に係る電子カメラが適用されたデジタルカメラの回路構成を示すブロック図である。
【００３７】
図１に於いて、被写体１０の撮影光束は、撮影レンズ１１を介してＣＣＤやＣＭＯＳイメージセンサ等の撮像素子（イメージャ）１２に入射され、ここで電気的な信号に変換される。この変換された電気信号は、Ａ／Ｄ変換部１３を経て画像処理部１４に供給される。そして、この画像処理部１４の出力は、記録部１５に供給されると共に、表示制御部１６を介してカメラ背面のＬＣＤパネル１７やファインダ接眼部２２内の電子ディスプレイ２１に供給される。
【００３８】
ＣＰＵ２０は、このカメラ全体の制御動作を司る演算制御手段であり、ワンチップマイクロコンピュータ等から成る。このＣＰＵ２０には、画像処理部１４、記録部１５、表示制御部１６、ピント合わせ部２５、判定部２６、画像加工部２７、カレンダ部２８、フラッシュ回路３０及び再生回路３６が接続されている。更に、ＣＰＵ２０には、撮影用のレリーズスイッチ２０ａの他、この発明の特徴たるプライベート撮影用のスイッチ２０ｂ、２０ｃが設けられている。
【００３９】
上記ピント合わせ部２５はアクチュエータ等から成るもので、上記撮影レンズ１１のピント合せ制御を行うためのものである。また、上記判定部２６はカメラの操作状態を判定するためのものであり、画像加工部２７は画像処理部１４で処理された画像に対して、ＬＣＤパネル１７への表示時に文字データを付加する等の加工を行うためたのものである。更に、上記カレンダ部２８は、日付け等の情報を更新、管理するためのものである。
【００４０】
フラッシュ回路３０は、ＣＰＵ２０からの制御により、露出を補うためにフラッシュ発光部３１を発光制御するための回路である。また、圧縮部３５は、マイクロホン３３により入力され、Ａ／Ｄ変換部３４で変換された音声入力に対し、記録部１５に記録可能にするべく圧縮を行うものである。更に、再生回路３６は、記録部１５に記録されている音声を、スピーカ３７より出力させるための回路である。
【００４１】
また、図３は同実施の形態に於けるカメラの外観構成を示したもので、（ａ）は全面側を示した斜視図、（ｂ）は背面側を示した斜視図である。
【００４２】
カメラ本体４０の前面部には、撮影レンズ１１、音声入力用のマイクロホン３３、フラッシュ発光部３１が設けられている。また、カメラ本体４０の上面部には、撮影用のレリーズスイッチ（レリーズ釦）が配置されている。
【００４３】
一方、カメラ本体４０の背面側には、ファインダ接眼部２２や背面ＬＣＤパネル１７、スピーカ３７の他、この発明の特徴たるプライベート撮影用のスイッチ２０ｂ、２０ｃが設けられている。スイッチ２０ｃは、図３（ｂ）に示されるように、カメラ本体４０の外装の一部に設けられた、図示矢印Ａ方向に開閉自在な蓋４０ａを開けないと見えないようにしておいてもよい。
【００４４】
このような構成に於いて、撮影制御時、撮影レンズ１１から入射された被写体１０の像は、撮像素子１２に入射されて電気的な信号に変換される。そして、変換された電気信号は、Ａ／Ｄ変換部３４によってデジタル信号化された後、画像処理部１４へ入力される。この画像処理部１４では、色補正やエッジ強調等の処理がなされ、情報が圧縮された後、記録部１５に記録される。この記録情報は、表示制御部１６を介してＬＣＤパネル１７や電子ディスプレイ２１に表示される。これにより、ユーザの眼２３で観察が可能である。
【００４５】
また、このカメラに於いては、上述したスイッチ２０ａ、２０ｂ、２０ｃ等の入力状態（操作状態）がＣＰＵ２０で検出されることにより、撮影シーケンスや各種撮影モードの設定が行われる。
【００４６】
更に、画像処理情報の一部が利用されて、撮影レンズ１１のピント合せ制御が、ピント合わせ部２５を介してＣＰＵ２０によって行われる。また、露出を補うために、フラッシュ回路３０を介して、フラッシュ発光部３１がＣＰＵ２０によって発光制御される。
【００４７】
一方、画像のみならず、音声もマイクロホン３３から入力された情報がＡ／Ｄ変換部３４でＡ／Ｄ変換され、圧縮部３５で圧縮された後、記録部１５に記録可能となっている。
【００４８】
こうして記録された画像や音声は、ＣＰＵ２０によってユーザのカメラ操作が再生状態と判定された場合には、上記記録部１５から所定のデータが読み出される。そして、画像は、上述の表示制御部１６を介して、ＬＣＤパネル１７または電子ディスプレイ２１に表示される。一方、音声は、再生回路３６を介してスピーカ３７から再生できるようにしている。
【００４９】
上記画像処理部１４は画像加工部２７を有しており、加工した画像または画像に換わって文字データ等を表示することが可能である。また、ＣＰＵ２０は、日付け等の情報を更新、管理するカレンダ部２８の情報によって、上記画像加工部２７を含む画像処理部１４を作動させることができる。
【００５０】
上記記録部１５は、異なるメモリ領域１５ａ、１５ｂの２つを有するようにして構成してもよい。このような工夫により、プライベート画像と通常画像は、異なるメモリに記録されるようにして、表示制御されるのは通常画像用のメモリの内容を優先するようにしてもよい。このような方式をとると、図２（ｂ）に示されるように、プライベート画像はインデックス表示時にも表示されないようにするのが簡単である。つまり、再生時に一方のメモリの内容のみが読み出されるようにすればよい。
【００５１】
また、図２（ｃ）に示されるように、プライベートな画像を含めて時系列でインデックス表示した方がユーザにとっては画像管理しやすい場合もある。この場合は、インデックスのプライベート画像部に「ｐｒｉｖａｔｅ」という文字表示をしたり、図２（ｄ）に示されるように、プライベート画像は所定の画素の信号で広い範囲を均一表示したりするが、これは上述した画像加工部２７の機能による。
【００５２】
図４は、このような構成のカメラの撮影時の動作シーケンスを説明するフローチャートである。このシーケンスは、ＣＰＵ２０が内蔵されたプログラムによって制御を行うものとする。
【００５３】
先ず、ステップＳ１に於いて、カメラのメインスイッチが入力されたか否かが判定される。このメインスイッチは、上述したスイッチ２０ｂ等が相当する。そして、メインスイッチが入力されていれば、ステップＳ２にて録音が開始される。
【００５４】
ここで、レリーズ釦２０ａの押し込み状態が判定される。レリーズ釦２０ａが押し込まれていない場合は、ステップＳ４に移行して、例えば３０秒前前の録音が消去される。これは、メインスイッチが入力された後、録音がずっと継続されているとメモリの記録容量が足りなくなってしまうので、３０秒以上前に録音された音声は消して上書きしていくようにしているからである。その後、上記ステップＳ１へ移行する。
【００５５】
一方、ステップＳ３にて、レリーズ釦２０ａが押し込まれた状態であれば、ステップＳ５以降の撮影シーケンスが実施される。
【００５６】
すなわち、ステップＳ５ではピント合わせが行われ、続くステップＳ６では撮影処理が実行される。そして、この撮影後にステップＳ７にて録音が終了し、画像と対応付けされるようにしているが、しばらく継続させる仕様としてもよい。
【００５７】
ところで、上記ステップＳ４にて、メモリの記録容量が足りなくならないように、３０秒以上前の音声は消して上書きする、と説明したが、ステップＳ８では、これに対して上記ステップＳ２〜Ｓ７で得られた画像と音声情報とが圧縮される。
【００５８】
次いで、ステップＳ９に於いて、プライベート撮影が否かが判定される。その結果、プライベート撮影以外であれば、ステップＳ１０に移行して、記録部１５内の第１領域（例えばメモリ領域１５ａ）に情報が記録されるようにする。
【００５９】
一方、上記ステップＳ９に於いて、プライベート撮影である場合は、ステップＳ１１に移行して、プライベート情報である旨の情報が付加される。この場合、撮影者のパスワードや記録日時等も付加されるようにしてもよい。次いで、ステップＳ１２にて、記録部１５内の第２領域（例えば、メモリ領域１５ｂ）に情報が記録される。
【００６０】
このプライベート撮影であるか否かは、上述したように、カメラ本体４０に設けられたスイッチ２０ｃ等の設定によって、モード設定のように行ってもよい。或いは、撮影のたびに所定の操作を行うようにしてもよいが、これについては後述する。
【００６１】
こうして得られた情報の再生について、図５乃至図７のフローチャートを参照して説明する。
【００６２】
図５は、プライベート情報は画像加工をされて再生され、且つ音声の再生はしないようにした場合の動作を説明するフローチャートである。音声再生が常に一緒に行われると、電車の中等不特定の人が多数集っている状況で不都合が生じるのを防止している。
【００６３】
先ず、ステップＳ２１に於いて再生モード操作が判定される。続いて、ステップＳ２２にて再生する画像が選択される（前回の撮影画面の自動選択や、図２（ｃ）に示されるようなインデックス表示からの選択等による）。
【００６４】
そして、ステップＳ２３に於いて、プライベート画像であるか否かが判定される。ここで、プライベート画像がある場合は、続くステップＳ２４に於いて所定操作が行われたか否かが判定される。
【００６５】
上記ステップＳ２３でプライベート画像が無いと判定されるか、またはステップＳ２４に於いて所定操作が行われた場合には、ステップＳ２５へ移行して音声の再生が行われる。その後、ステップＳ２７へ移行する。
【００６６】
一方、上記ステップＳ２３でプライベート画像があり、且つステップＳ２４で所定操作が行われない場合は、ステップＳ２６に移行して画像が加工される。
【００６７】
上記プライベート画像は、上記ステップＳ２４にて所定操作が行われなければ、音声、画像共、正しく再生されない。つまり、ステップＳ２６にて加工された画像が表示されるだけである。加工画像は、上述したように、図２（ｃ）に示されるように、モニタ画面の一部のように文字情報だけにしてもよいし、図２（ｄ）に示されるように識別不能状態にしてもよい。
【００６８】
次いで、ステップＳ２７では、画像再生表示が行われる。音声は情報終了で再生終了となるが、画像は所定時間だけ表示される。そして、ステップＳ２８に於いて、所定時間が経過するまで、上記ステップＳ２１へ移行して上記ステップＳ２１〜Ｓ２８の処理が繰り返される。上記所定時間が経過したならば、このシーケンスが終了する。
【００６９】
また、図５のシーケンスに代えて図６に示されるような再生プログラムとしてもよい。
【００７０】
先ず、ステップＳ３１に於いて再生モードが判定される。再生モードに入ると、続くステップＳ３２にて、記録部１５内のメモリ領域１５ａとして示された第１の記録領域の画像のみが再生される。次いで、ステップＳ３３にて、所定の操作が行われたか否かが判定される。
【００７１】
ここで、所定の操作が行われると、ステップＳ３４に移行して、記録部１５内のメモリ領域１５ｂとして示された第２の記録領域の画像が再生される。一方、上記ステップＳ３３にて所定の操作が行われないと、ステップＳ３４をスキップして、第２の記録領域の画像が再生されないようにする。これは、インデックス表示時、図２（ｂ）に示されるように、プライベート画像は全く表示されないようにする場合に有効である。
【００７２】
そして、ステップＳ３５に於いて、所定時間が経過するまで、上記ステップＳ３１へ移行して上記ステップＳ３１〜Ｓ３５の処理が繰り返される。上記所定時間が経過したならば、このシーケンスが終了する。
【００７３】
尚、上述した第１及び第２の領域は、図４のフローチャートに於けるステップＳ１０及びＳ１２に対応するものである。
【００７４】
更に、図７に示されるような再生プログラムが用いられてもよい。
【００７５】
すなわち、ステップＳ４１に於いて再生モードが判定される。再生モードに入ると、続くステップＳ４２にて、選択された画像に応じて表示される部位が切り換えられる。
【００７６】
ここで、ステップＳ４３に於いて、プライベート画像であるか否かが判定される。その結果、選択された画像がプライベート画像以外であれば、ステップＳ４４に移行し、プライベート画像であればステップＳ４６へ移行する。
【００７７】
ステップＳ４４では、多くの人によって楽しめるように、カメラ本体４０の背面側に設けられているＬＣＤパネル１７に表示再生される。そして、ステップＳ４５にて、音声も通常の音量で再生される。
【００７８】
一方、プライベート用記録領域の画像、またはプライベート情報の付加された画像は、ステップＳ４６へ移行して、ファインダ接眼部２２内の電子ディスプレイ２１のみに表示される。これによって、カメラのファインダの中でしか確認できないので、カメラ背面側の大型モニタ上で多くの人から見られるのを防止することができる。
【００７９】
また、続くステップＳ４７にて音声も小さい音量として再生される。したがって、多くの人には聞こえないようにしている。
【００８０】
そして、ステップＳ４８に於いて、所定時間が経過するまで、上記ステップＳ４１へ移行して上記ステップＳ４１〜Ｓ４８の処理が繰り返される。上記所定時間が経過したならば、このシーケンスが終了する。
【００８１】
ところで、プライベート画像の選択時は、音量を小さくする以外に、イヤホンを通じて再生できるようにしてもよい。すなわち、図８に示されるように、カメラ本体４０のイヤホンジャック部４１にイヤホン４２が取り付けられる。この状態の時のみ、ユーザ４３に対して、プライベート情報の再生ができるようにしている。
【００８２】
この場合、図９のシーケンスに従って動作する。
【００８３】
すなわち、ステップＳ５１に於いてプライベート情報であるか否かが判定される。ここで、プライベート情報でなければ、ステップＳ５３に移行して通常再生される。一方、上記ステップＳ５１でプライベート情報であると判定された場合は、ステップＳ５２に移行する。
【００８４】
そして、ステップＳ５２では、カメラ本体４０にイヤホンが装着された状態であるか否かが判定される。ここで、イヤホンが装着された状態であれば、ステップＳ５３に移行して再生可能とされる。一方、イヤホン装着なしの場合は、再生されずに本シーケンスが終了する。
【００８５】
以上説明したように、これらの再生方法をとることにより、プライベート情報は簡単には再生されず、公開してよい情報を多くの人達と楽しむことのできるカメラを提供することができる。
【００８６】
また、プライベート情報の判定については、例えば、図１０に示されるような動作シーケンスをＣＰＵ２０が実施することによって付加することができる。
【００８７】
すなわち、先ず、ステップＳ６１にて撮影が開始されたか否かが判定される。ここで、撮影が開始されたならばステップＳ６２へ移行し、撮影でなければステップＳ６７へ移行する。
【００８８】
ステップＳ６２では、プライベート撮影であるか否かが判定される。これは、例えば、撮影時に於いて、カメラに設けられたプライベートスイッチ（例えば、図１、図３（ｂ）に示されるスイッチ２０ｂ等）の押し込み状態により判定される。ここで、プライベートスイッチ２０ｂが押し込まれていないならば、ステップＳ６３へ移行して通常の撮影シーケンスが実行される。その後、本ルーチンを抜ける。
【００８９】
一方、プライベートスイッチ２０ｂが押し込まれていれば、ステップＳ６４に移行してプライベート情報付加撮影が可能となる。この後、ステップＳ６５にて撮影が実行される。そして、ステップＳ６６にて、１回の撮影でこのプライベート撮影モードが解除されるようにする。これにより、必要なときのみプライベート情報化が可能となる。
【００９０】
上記ステップＳ６１にて、撮影モードでないとされた場合は、ステップＳ６７にてモード設定されたか否かが判定される。ここで、モード設定されていなければ、ステップＳ６８に移行してモード解除か否かが判定される。
【００９１】
ステップＳ６８では、モードが解除されたか否かが判定される。ここで、モードが解除されなければ本ルーチンを抜ける。一方、モードが解除されたならば、ステップＳ６９に移行して、通常モードに復帰された後、本ルーチンを抜ける。
【００９２】
また、撮影時にいちいちスイッチを押さずに、一連の撮影をプライベート情報化してもよい。これは、例えば、カメラ本体４０の蓋の内側に設けられたスイッチ２０ｃ等によって、カメラの撮影モードの１つとして組み込む方式である。
【００９３】
上記ステップＳ６７にてモード設定がなされると、ステップＳ７０に移行して、プライベート撮影モードを選択するべくフラッシュ撮影モードであるか否かが判定される。ここで、フラッシュ撮影モードであればステップＳ７１へ移行して、強制発光モード（ＦＩＬＬ−ＩＮ）、オフモード、赤目防止モード等のフラッシュ発光に関する各種モードが設定された後、本ルーチンを抜ける。
【００９４】
一方、フラッシュ撮影モードでない場合は、ステップＳ７２に移行してセルフタイマモードであるか否かが判定される。ここで、セルフタイマモードである場合は、ステップＳ７３に移行して、セルフタイマモードやリモコン等を使用するモードが設定される。
【００９５】
上記ステップＳ７２にてセルフタイマモードでない場合は、ステップＳ７４に移行して、日付設定モードであるか否かが判定される。日付設定モードであれば、ステップＳ７５に移行して、該当する日付等の情報が設定される。その後、本ルーチンを抜ける。
【００９６】
また、日付設定モードでもない場合は、ステップＳ７６に移行して、プライベート撮影モードか否かが判定される。ここで、プライベート撮影モードでない場合は、本ルーチンを抜ける。これに対し、プライベート撮影モードである場合は、ステップＳ７７へ移行する。
【００９７】
ステップＳ７７では、プライベート撮影を日付情報と関連して設定するか否かが判定される。ここで日付情報と関連した設定であれば、ステップＳ７８に移行して、例えばカレンダ部２８が有する日付け機能の日付け情報と関連付けて、所定の日時、時間帯等が選択できるようにする。これにより、この時間帯に記録されたものは、プライベート撮影とするように設定可能としている。その後、本ルーチンを抜ける。
【００９８】
一方、上記ステップＳ７７で日付情報と関連しないとされた場合は、ステップＳ７９に於いて、プライベート撮影を自動設定とするか否かが判定される。自動設定でなければ本ルーチンを抜け、自動設定であれば、ステップＳ８０に移行して、プライベート情報の自動判定設定が実行された後も本ルーチンを抜ける。
【００９９】
次に、このプライベート情報の自動判定設定について、図１１及び図１２を参照して説明する。
【０１００】
例えば、図１１（ａ）及び（ｂ）に示されるように、人物を所定の大きさ（倍率）以上でポートレート風に撮影したものは、一般に個人的な写真であることが多い。みんなで楽しむ写真は、図２（ａ）に示されるようなシーンであり、複数の人物が撮影された写真であることが多い。
【０１０１】
また、図１１（ｃ）に示されるように、特定の機械や装置や印刷物等を大きくクローズアップした写真は、ビジネスで用いられることが多い。これはマクロ撮影として区別される。
【０１０２】
図１２は、こうした点を考慮してた自動プライベート判定設定の動作を説明するフローチャートである。
【０１０３】
つまり、ステップＳ９１及びＳ９２にて、撮影時の被写体距離Ｌや撮影レンズの焦点距離ｆが考慮される。次いで、ステップＳ９３に於いて、上記被写体距離Ｌと上記焦点距離ｆとからＬ／ｆが計算されて、これが所定の比率（３０）と比較される。ここで、Ｌ／ｆが上記所定の比率以上であればプライベート撮影による写真と判定されてステップＳ９４に移行し、上記所定の比率より小さければステップＳ９７へ移行する。
【０１０４】
このステップＳ９７に於いては、マクロ撮影であるか否かが判定される。マクロ撮影である場合は本ルーチンを抜けるが、マクロ撮影以外であればステップＳ９８へ移行する。そして、このステップＳ９８にてプライベート写真の設定がなされた後、本ルーチンを抜ける。
【０１０５】
また、上記以外の条件としては、撮影された人物の形状分析、または録音された音声の具合から、人物が１人と判定された場合は、プライベート写真である確率が高い。
【０１０６】
したがって、ステップＳ９４では、撮影対称となる被写体が人物１人であるか否かが判定される。ここで、人物が１人であればプライベート写真であるとして、ステップＳ９８へ移行する。
【０１０７】
一方、人物が１人でない場合は、続くステップＳ９５にて風景写真であるか否かが判定される。風景写真もプライベート写真である確率が高いがこれは、被写体距離によって判定可能である。したがって、風景写真であれば、プライベート写真であるとしてステップＳ９８へ移行する。
【０１０８】
上記ステップＳ９５にて、風景写真でない場合は、ステップＳ９６に移行して日曜日であるか否かが判定される。日曜日の撮影は、プライベート情報である確率が高いので、このような撮影条件時にもプライベート情報の判定がなされる。その結果、日曜日である場合は、ステップＳ９８へ移行してプライベート写真の設定がなされる。
【０１０９】
以上説明したように、自動的に所定の条件が満たされる場合にプライベート情報と判定されるような仕様が選択されるようにすれば、いちいち、モード設定しなくとも、個人的に楽しむ情報と、多くの人と楽しむ情報を分けて扱うことができる。
【０１１０】
上述した実施の形態では、もっぱら撮影時にプライベートモードを選択してある例を説明したが、撮影後の再生時にプライベート画像を指定する仕様としてもよい。その際には、図１３に示されるような動作シーケンスをＣＰＵ２０のプログラムに内蔵すればよい。
【０１１１】
すなわち、ステップＳ１０１にて再生モードが選択されていれば、続くステップＳ１０２にてユーザによって所望の画像が選択される。ここで選択された画像に対し、ステップＳ１０３に於いてプライベート画像であるか否かの指定が判定される。
【０１１２】
そして、プライベート画像が指定される、すなわち所定のカメラ操作が行われれば、ステップＳ１０４に移行してプライベート情報が付加される。それと共に、ステップＳ１０５にてすぐにその画像の表示が終了する。この操作が終了したカメラならば、安心してプライベート画像以外を見せるために、他の人に回覧することができる。
【０１１３】
また、上記ステップＳ１０３にて、プライベート画像の指定が無い場合は、ステップＳ１０６に移行し、所定の時間が経過するまで上記ステップＳ１０１〜Ｓ１０６が繰り返される。そして、所定時間が経過したならば、ステップＳ１０５に移行して表示が終了する。
【０１１４】
更には、プライベート画像を完全に記録部の別領域に記録する仕様である場合は、図１４に示されるような動作シーケンスのプログラムを実行するようにすればよい。
【０１１５】
すなわち、先ず、ステップＳ１１１にて再生モードが選択判定される。個々で、再生モードであれば、続くステップＳ１１２にてユーザによって所望の画像が選択される。選択された画像に対しては、ステップＳ１１３に於いてプライベート画像であるか否かの指定が判定される。
【０１１６】
そして、プライベート画像が指定される、すなわち所定のカメラ操作が行われれば、ステップＳ１１４に移行して、上記選択指定された画像に対して、所定のカメラ操作が行われて、本来、第１記録領域に入っていた画像がプライベート用の第２領域に転送される。次いで、ステップＳ１１５にて、第１領域に入っていたデータは消去される。これによって、他人には簡単には見ることのできないデータとなり、ステップＳ１１６にて表示が終了する。
【０１１７】
また、上記ステップＳ１１３にて、プライベート画像の指定が無い場合は、ステップＳ１１７に移行し、所定の時間が経過するまで上記ステップＳ１１１〜Ｓ１１７が繰り返される。そして、所定時間が経過したならば、ステップＳ１１６に移行して表示が終了する。
【０１１８】
このようにして、プライベート画像を見る場合には、例えばパーソナルコンピュータのように所定のパスワードを入力したり、日付け用の表示カウンタを利用して、所定の数字を指定すると表示が可能になるように、ＣＰＵ２０のプログラムを設計すればよい。
【０１１９】
【発明の効果】
以上説明したようにこの発明によれば、画像や音声の記録・再生が可能な電子カメラに於いて、例えば個人的内容のように不特定多数には公開を望まない情報と、公開しても良い情報とを区別して記録を行い、再生時には所定の操作を行わないと公開を望まない情報が再生されないようにしたので、個人情報を保護しつつ多くの人たちと再生を楽しむことが可能な電子カメラを提供することができる。
【図面の簡単な説明】
【図１】この発明の一実施の形態に係る電子カメラが適用されたデジタルカメラの回路構成を示すブロック図である。
【図２】この発明の特徴であるプライベート画像の例を説明するもので、（ａ）はプライベート画像のシーンの例を示した図、（ｂ）は電子カメラのモニタにインデックス表示される画像の例を示した図、（ｃ）は電子カメラのモニタにプライベート画像を含めてインデックス表示される画像の例を示した図、（ｄ）は所定の画素を拡大した例を示した図である。
【図３】この発明の一実施の形態に於けるカメラの外観構成を示したもので、（ａ）は全面側を示した斜視図、（ｂ）は背面側を示した斜視図である。
【図４】この発明の一実施の形態に於けるカメラの撮影時の動作シーケンスを説明するフローチャートである。
【図５】プライベート情報が画像加工されて再生され、且つ音声の再生はしないようにした場合の、画像及び音声の再生動作を説明するフローチャートである。
【図６】プライベート情報が画像加工されて再生され、且つ音声の再生はしないようにした場合の、画像及び音声の再生動作の他の例を説明するフローチャートである。
【図７】プライベート情報が画像加工されて再生され、且つ音声の再生はしないようにした場合の、画像及び音声の再生動作の更に他の例を説明するフローチャートである。
【図８】プライベート画像の選択時で、カメラ本体に装着されたイヤホンを通じて音声を再生している状態の例を示した図である。
【図９】カメラ本体にイヤホンが装着された状態での、プライベート情報の再生動作例を説明するフローチャートである。
【図１０】プライベート情報の判定動作について説明するフローチャートである。
【図１１】プライベート情報の自動判定設定について説明する図である。
【図１２】プライベート情報の自動判定設定の動作を説明するフローチャートである。
【図１３】撮影後の再生時にプライベート画像を指定する場合の動作を説明するフローチャートである。
【図１４】プライベート画像を完全に記録部の別領域に記録する場合の動作を説明するフローチャートである。
【符号の説明】
１０  被写体、
１１  撮影レンズ、
１２  撮像素子（イメージャ）、
１３  Ａ／Ｄ変換部、
１４  画像処理部、
１５  記録部、
１５ａ、１５ｂ  メモリ領域、
１６  表示制御部、
１７  ＬＣＤパネル、
２０  ＣＰＵ、
２１  電子ディスプレイ、
２５  ピント合わせ部、
２６  判定部、
２７  画像加工部、
２８  カレンダ部、
３０  フラッシュ回路、
３３  マイクロホン、
３５  圧縮部、
３６  再生回路、
３７  スピーカ、
４０  カメラ本体。
【図１】
2004179760.tif 000003
【図２】
2004179760.tif 000004
【図３】
2004179760.tif 000005
【図４】
2004179760.tif 000006
【図５】
2004179760.tif 000007
【図６】
2004179760.tif 000008
【図７】
2004179760.tif 000009
【図８】
2004179760.tif 000010
【図９】
2004179760.tif 000011
【図１０】
2004179760.tif 000012
【図１１】
2004179760.tif 000013
【図１２】
2004179760.tif 000014
【図１３】
2004179760.tif 000015
【図１４】
2004179760.tif 000016